(57)【要約】【課題】組立作業が容易で、フロートの上下動が確実に行われて給水弁の止水不良を防ぐことができる水洗便器のタンク構造を提供する。【解決手段】本発明の水洗便器のタンク構造１２は、給水管４８と、この給水管から供給される洗浄水が貯水されるジェットタンク１４と、給水管から供給される洗浄水のリムタンク１６内への吐水及び止水を切り替えるダイアフラム弁４２と、ジェットタンク内の洗浄水の水位の変動に伴って上下動することによりダイアフラム弁の吐水及び止水を切替えるフロート部４４と、ジェットタンク１４内に設けられ且つフロート部の上下動をガイドするフロートガイド５０と、を有し、フロート部は、フロート本体４４ａと、フロートガイド接触部４４ｂと、を備え、ジェットタンク内の洗浄水が止水水位にあるとき、フロート部のフロートガイド接触部が貯水水位よりも下方に位置するように構成されている。【選択図】図５
2009235804.tif 000002
【特許請求の範囲】
【請求項１】
水洗便器に洗浄水を供給する水洗便器のタンク構造であって、
外部の給水源に接続された給水管と、
この給水管から供給される洗浄水が貯水される貯水タンクと、
上記給水管から供給される洗浄水の上記貯水タンク内への吐水及び止水を切り替える給水弁と、
上記貯水タンク内の洗浄水の水位の変動に伴って上下動することにより上記給水弁の吐水及び止水を切替えるフロート部と、
上記貯水タンク内に設けられ且つ上記フロート部の上下動をガイドするフロートガイド部と、を有し、
上記フロート部は、洗浄水の水面に浮いて浮力を発生させるフロート本体と、上記フロートガイド部と接触して上記フロート本体を上下動させるフロートガイド接触部と、を備え、上記貯水タンク内の洗浄水が止水水位にあるとき、上記フロート部のフロートガイド接触部が洗浄水の水位よりも下方に位置するように構成されていることを特徴とする水洗便器のタンク構造。
【請求項２】
上記フロートガイド接触部は、上記フロート本体に一体に設けられている請求項１記載の水洗便器のタンク構造。
【請求項３】
上記フロートガイド接触部は、上記フロート本体に別体に設けられている請求項１記載の水洗便器のタンク構造。
【請求項４】
上記フロートガイド接触部は、その下端が上記フロート本体の下端よりも下方に延びるように形成されている請求項１乃至３の何れか１項に記載の水洗便器のタンク構造。
【請求項５】
上記フロートガイド部は、上記給水管に一体に設けられている請求項１記載の水洗便器のタンク構造。
【請求項６】
上記フロートガイド部は、上記給水管とは別体に設けられている請求項１記載の水洗便器のタンク構造。
【発明の詳細な説明】
【技術分野】
【０００１】
本発明は、水洗便器のタンク構造に係り、特に、水洗便器に洗浄水を供給する水洗便器のタンク構造に関する。
【背景技術】
【０００２】
従来から、水洗便器のボウル部にリム吐水口及びジェット吐水口を形成し、これらの吐水口から洗浄水を供給することにより、サイホン作用により汚物を排出する便器が知られている。このような水洗便器は、洗浄水が給水源（例えば、水道）から直接供給されるタイプと、水洗便器に設けられた洗浄水タンク内に貯水された洗浄水が供給されるタイプに分けられる。
【０００３】
この洗浄水タンクを含む水洗便器のタンク構造の一例として、特許文献１には、外部の給水源（水道）から洗浄水タンク内に洗浄水を供給するために、洗浄水タンク内にパイロット式ダイヤフラム弁を有するボールタップ（給水バルブ）を設けた便器洗浄水供給装置を含むタンク構造が開示されている。
この特許文献１の水洗便器のタンク構造に用いられている便器洗浄水供給装置においては、外部の給水源（水道）に接続された給水管の上端にパイロット式ダイヤフラム弁を有するボールタップ（給水弁）が形成され、フロートがこの給水管を貫通し且つ上下動可能なように設けられている。
【０００４】
【特許文献１】特開２００６−２７４５４０号公報
【発明の開示】
【発明が解決しようとする課題】
【０００５】
しかしながら、このような水洗便器のタンク構造の便器洗浄水供給装置においては、給水弁が止水されて洗浄水タンク内の貯水水位が止水水位の状態でフロートが浮いている時、フロートと給水管との接触部分が水没せずに空気中に晒されているため、この接触部分に水垢が析出したり、ゴミが堆積しやすいという問題がある。したがって、フロートの上下動が給水管との接触部において確実にガイドされず、給水弁の止水不良が発生しやすく、問題となっていた。
【０００６】
そこで、本発明は、上述した従来技術の問題点を解決するためになされたものであり、組立作業が容易で、フロートの上下動が確実に行われて給水弁の止水不良を防ぐことができる水洗便器のタンク構造を提供することを目的としている。
【課題を解決するための手段】
【０００７】
上記の目的を達成するために本発明は、水洗便器に洗浄水を供給する水洗便器のタンク構造であって、外部の給水源に接続された給水管と、この給水管から供給される洗浄水が貯水される貯水タンクと、上記給水管から供給される洗浄水の上記貯水タンク内への吐水及び止水を切り替える給水弁と、上記貯水タンク内の洗浄水の水位の変動に伴って上下動することにより上記給水弁の吐水及び止水を切替えるフロート部と、上記貯水タンク内に設けられ且つ上記フロート部の上下動をガイドするフロートガイド部と、を有し、上記フロート部は、洗浄水の水面に浮いて浮力を発生させるフロート本体と、上記フロートガイド部と接触して上記フロート本体を上下動させるフロートガイド接触部と、を備え、上記貯水タンク内の洗浄水が止水水位にあるとき、上記フロート部のフロートガイド接触部が洗浄水の水位よりも下方に位置するように構成されていることを特徴としている。
このように構成された本発明においては、貯水タンク内の洗浄水が止水水位にあるとき、フロート部のフロートガイド接触部が洗浄水の水位よりも下方に位置して水没しているため、フロートガイド接触部とフロートガイドとの接触部分に水垢が析出したり、ゴミが堆積したりするのを防ぐことができる。したがって、フロート部の上下動がフロートガイド部により確実に行われ、給水弁の止水不良を防ぐことができる。
【０００８】
本発明において、好ましくは、フロートガイド接触部は、フロート本体に一体に設けられている。
このように構成された本発明においては、フロートガイド接触部がフロート本体に一体に設けられているため、部品点数を減らすことができるため、組立作業が容易となる。
【０００９】
本発明において、好ましくは、フロートガイド接触部は、フロート本体に別体に設けられていてもよい。
このように構成された本発明においては、フロートガイド接触部がフロート本体に別体に設けられているため、フロートガイド接触部のメンテナンスが容易となる。
【００１０】
本発明において、好ましくは、フロートガイド接触部は、その下端が上記フロート本体の下端よりも下方に延びるように形成されている。
このように構成された本発明においては、フロート本体が上下動する際にフロートガイド接触部とフロートガイド部とを確実に接触させることができ、フロートガイド接触部がフロートガイド部から外れるといった不具合を防ぐことができる。
【００１１】
本発明において、好ましくは、フロートガイド部は、給水管に一体に設けられている。
このように構成された本発明においては、フロートガイド部が給水管に一体に設けられているため、貯水タンク内の所要スペースをコンパクトにすることができる。また、部品点数を減らすことができるため、組立作業も容易となる。
【００１２】
本発明において、好ましくは、フロートガイド部は、給水管とは別体に設けられていてもよい。
このように構成された本発明においては、フロートガイド部が給水管とは別体に設けられているため、貯水タンク内の所要スペースをコンパクトにすることができる。また、フロートガイド部のメンテナンスが容易となる。
【発明の効果】
【００１３】
本発明によれば、組立作業が容易で、フロートの上下動が確実に行われて給水弁の止水不良を防ぐことができる。
【発明を実施するための最良の形態】
【００１４】
以下、添付図面により、本発明の実施形態による水洗便器のタンク構造を説明する。
まず、図１により、本発明の水洗便器のタンク構造が適用される水洗便器の一例を説明する。図１は本発明の水洗便器のタンク構造が適用される水洗便器の断面図である。
図１に示すように、水洗便器１は、陶器からなる便器本体２を有し、この便器本体２には、汚物を受けるボウル部４と、このボウル部４の底部から延びる排水トラップ管路６と、ジェット吐水を行うジェット吐水口８と、リム吐水を行うリム吐水口１０が形成されている。
ジェット吐水口８は、ボウル部４の底部に形成されており、排水トラップ管路６の入口に指向してほぼ水平に配置され、洗浄水を排水トラップ管路６に向けて吐水するようになっている。リム吐水口１０は、ボウル部４の左側上部後方に形成されており、ボウル部４の上縁に沿って洗浄水を吐出するようになっている。
【００１５】
ジェット吐水口８及びリム吐水口１０のそれぞれは、ボウル部４周辺に形成されるそれぞれの導水路（図示せず）を介して本実施形態による水洗便器のタンク構造１２に接続されている。このタンク構造１２については、ジェット吐水口８が接続されるジェットタンク１４、及び、リム吐水口１０が接続されるリムタンク１６の２つの貯水タンクを含み、後述するように便器洗浄水供給装置を含む種々の機器が設けられている。
【００１６】
つぎに、図２及び図３により、本発明の第１実施形態による水洗便器のタンク構造を説明する。図２は、本発明の第１実施形態による水洗便器のタンク構造の内部を上方から見た平面図であり、タンク構造の蓋部を省略し、便器本体側が手前になるように示している。図３は、図２のIII-III線に沿って見た洗浄水タンクの断面図である。
図２及び図３に示すように、ジェットタンク１４の底面には、ジェット吐出口１４ａへ給止水するジェット排水弁３０が設けられている。このジェット排水弁３０は、玉鎖（図示せず）によって、洗浄操作レバー３２に連結された操作機構部３４に接続されている。そして、洗浄操作レバー３２を回すと、このジェット排水弁３０が引き上げられ、ジェットタンク１４内に収容されている洗浄水が、ジェット吐出口１４ａを介してジェット吐水口８に流れるようになっている。
【００１７】
また、リムタンク１６の底面には、リム吐出口１６ａへ給止水可能なリム排水弁３６が設けられている。このリム排水弁３６も、ジェット排水弁３０と同様に、玉鎖（図示せず）によって、操作機構部３４に接続されている。そして、洗浄操作レバー３２を回すと、このリム排水弁３６が引き上げられ、リムタンク１６内に収容されている洗浄水が、リム吐出口１６ａを介してリム吐水口１０に流れるようになっている。
本実施形態では、一度の操作でジェット排水弁３０とリム排水弁３６を開弁することができるように設定されている。
【００１８】
さらに、タンク構造１２のジェットタンク１４内には、便器洗浄水供給装置４０が設けられている。この便器洗浄水供給装置４０は、主要部として、給水弁として機能するダイアフラム弁４２と、ジェットタンク１４内の洗浄水の水位の変動に伴って上下動することによりダイアフラム弁４２を開閉して吐水及び止水を切替えるフロート部４４（詳細は後述する）と、止水栓４６を介して外部の給水源である水道に接続された給水管４８と、給水管４８に一体に設けられ且つフロート部４４の上下動をガイドするフロートガイド５０とを有している。
【００１９】
また、給水管４８は、止水栓４６からタンク構造１２の底部まで延びる第１部分４８ａと、ジェットタンク１４の底部からダイアフラム弁４２まで延びる第２部分４８ｂと、ダイアフラム弁４２からリムタンク１６への給水口４８ｃまで延びる第３部分４８ｄとで構成されている。そして、ダイアフラム弁４２が開弁すると、洗浄水が給水口４８ｃからリムタンク１６内に供給されるようになっており、ジェットタンク１４の洗浄水の水位が所定水位を超えるとダイアフラム弁４２が閉鎖され、洗浄水のリムタンク１６への供給が止まるようになっている。
【００２０】
つぎに、図４〜図６により、上述した便器洗浄水供給装置４０のフロート部４４の詳細について説明する。
図４は本実施形態の水洗便器のタンク構造における便器洗浄水供給装置を示す斜視図であり、図５は図４に示す便器洗浄水供給装置のフロート部分を拡大した部分拡大正面図であり、図６は本実施形態の水洗便器のタンク構造における便器洗浄水供給装置のフロート部を斜め上方から見た斜視図である。
図４〜図６に示すように、便器洗浄水供給装置４０のフロート部４４は、洗浄水を収容する空間を形成し浮力を発生させるフロート本体４４ａと、このフロート本体４４ａの下端部から下方に延びて且つフロート本体４４ａからフロートガイド５０に向かって突出しているフロートガイド接触部４４ｂとを備えている。フロートガイド接触部４４ｂは、フロートガイド５０のガイドレール５０ａの両端面を両側から接触して挟持する凹部４４ｃを備えている。これらのフロートガイド接触部４４ｂ及び凹部４４ｃの下端は、フロート本体４４ａの下端部４４ｄよりも下方に延びるように形成されており、フロート本体４４ａの上下動に伴ってフロートガイド接触部４４ｂがフロートガイド５０のガイドレール５０ａに対して摺動可能となっている。
【００２１】
フロート本体４４ａの上端には縦アーム５２が固定されており、この縦アーム５２の上端部は、ダイアフラム弁４２の支点４２ａを中心に揺動可能に結合された横アーム５４に連結されている。フロート部４４のフロート本体４４ａがジェットタンク１４内の水位による浮力により上下動すると、縦アーム５２がフロート本体４４ａと共に連動して上下動することにより、横アーム５４が揺動してダイアフラム弁４２が開閉され、吐水及び止水が切り替えられるようになっている。
【００２２】
また、図５では、フロート本体４４ａが上昇位置にあるときと下降位置にあるときにジェットタンク１４内に貯水されている洗浄水の貯水水位、言い換えればフロート本体４４ａがジェットタンク１４内で浮いているときの喫水線（ウォーターライン）をそれぞれＷL，ＷL’で示している。
上述したように、フロートガイド接触部４４ｂはフロート本体４４ａの下端部から下方に延びるように形成されているため、フロート本体４４ａがジェットタンク１４内の貯水水位ＷL又はＷL’の水面に浮いている時のいずれの状態においても、フロートガイド接触部４４ｂの凹部４４ｃが貯水水位ＷL，ＷL’よりも下方に位置して水没するようになっている。
【００２３】
特に、ジェットタンク１４内の貯水水位ＷL’の洗浄水がさらに排水されて水位が下がったとしても、その後ジェットタンク１４内への給水によりフロート本体４４ａが上昇してダイアフラム弁４２が閉鎖されて貯水水位ＷLが止水水位となっている状態では、必ずフロートガイド接触部４４ｂの凹部４４ｃが洗浄水の水位よりも下方に位置するようになっている。
【００２４】
上述した本発明の第１実施形態による水洗便器のタンク構造１２によれば、貯水水位ＷLが止水水位となっているときには、必ずフロートガイド接触部４４ｂの凹部４４ｃが洗浄水の水位よりも下方に位置して水没しているため、フロートガイド接触部４４ｂの凹部４４ｃとフロートガイド５０のガイドレール５０ａとの接触部分に水垢が析出したり、ゴミが堆積したりするのを防ぐことができる。したがって、フロート部４４の上下動がフロートガイド５０により確実に行われ、給水弁であるダイアフラム弁４２の止水不良を防ぐことができる。
【００２５】
また、本実施形態の水洗便器のタンク構造１２によれば、便器洗浄水供給装置４０のフロートガイド接触部４４ｂがフロート本体４４ａに一体に設けられているため、部品点数を減らすことができるため、組立作業が容易となる。
【００２６】
さらに、本実施形態の水洗便器のタンク構造１２によれば、便器洗浄水供給装置４０のフロートガイド接触部４４ｂ及び凹部４４ｃの下端がフロート本体４４ａの下端部４４ｄよりも下方に延びるように形成されているため、フロート本体４４ａが上下動する際にフロートガイド接触部４４ｂの凹部４４ｃとフロートガイド５０のガイドレール５０ａとを確実に接触させることができ、フロートガイド接触部４４ｂ及び凹部４４ｃがフロートガイド５０のガイドレール５０ａから外れるといった不具合を防ぐことができる。
【００２７】
また、本実施形態の水洗便器のタンク構造１２によれば、フロートガイド５０が給水管４８に一体に設けられているため、ジェットタンク１４内の所要スペースをコンパクトにすることができる。また、部品点数を減らすことができるため、組立作業も容易となる。
【００２８】
なお、上述した本実施形態の水洗便器のタンク構造１２においては、一例として、フロート部４４のフロートガイド接触部４４ｂについては、フロート本体４４ａに一体に設けられた形態について説明したが、このような形態に限定されず、フロートガイド接触部４４ｂをフロート本体４４ａの下端部４４ｄに取り外し可能に別体に設けて、さらにメンテナンスをしやすくしてもよい。要するに、フロート部４４のフロートガイド接触部４４ｂがジェットタンク１４内の貯水水位よりも下方に位置して水没するようにすれば、フロート部４４のフロートガイド接触部４４ｂは、フロート本体４４ａに一体に設けられても、または、別体に設けられても、更には、フロート本体との間に他の部材を介して別体に設けられても双方適用可能である。
【００２９】
つぎに、本発明の第２実施形態による水洗便器のタンク構造について説明する。
図７は、本発明の第２実施形態による水洗便器のタンク構造の内部を右斜め上方から見た斜視図であり、タンク構造の蓋部及びリムタンク等は省略し、ジェットタンクを形成する枠体と便器洗浄水供給装置のみを示している。また、図８は、図７のVIII-VIII線に沿って見たタンク構造の断面図である。ここで、図７及び図８において、第１実施形態と同一の部分については同一の符号を付し、それらの説明は省略する。
【００３０】
図７及び図８に示すように、本実施形態の水洗便器のタンク構造６０においては、便器洗浄水供給装置６２のフロート部４４の上下動をガイドするフロートガイド６４が、タンク構造６０のジェットタンク６６の横方向に延びる給水管４８とは別体に設けられている点で第１実施形態と異なっている。すなわち、フロートガイド６４は、ジェットタンク６６の側壁６６ａに上下方向に延びるように設けられている。
【００３１】
本実施形態の水洗便器のタンク構造６０によれば、フロートガイド６４が給水管４８とは別体にジェットタンク６６の側壁６６ａに設けられているため、ジェットタンク６６内の所要スペースをコンパクトにすることができる。また、フロートガイド６４のメンテナンスが容易となる。
【００３２】
上述した本実施形態の水洗便器のタンク構造１２においては、一例としてフロート部４４については、フロート部４４が給水管４８と一体となったフロートガイド６４にガイドされ昇降するタイプに適用する場合ついて説明したが、このような形態に限定されずに、フロート部を給水管が貫通しており、給水管がフロートガイドとして機能してフロートの上下動をガイドする場合にも適用可能である。
また、上述した本実施形態の水洗便器のタンク構造１２においては、一例として、ジェットタンク６６とリムタンク１６の二重タンク構造に本件発明を適用した場合ついて説明したが、このような形態に限定されずに、貯水タンクのみからなる場合に適用してもよい。
【図面の簡単な説明】
【００３３】
【図１】本発明の第１実施形態による水洗便器のタンク構造が適用される水洗便器の断面図である。
【図２】本発明の第１実施形態による洗浄水タンクの内部を上方から見た平面図である。
【図３】図２のIII-III線に沿って見た洗浄水タンクの断面図である。
【図４】本発明の第１実施形態による水洗便器のタンク構造における便器洗浄水供給装置を示す斜視図である。
【図５】図４に示す便器洗浄水供給装置のフロート部分を拡大した部分拡大正面図である。
【図６】本発明の第１実施形態による水洗便器のタンク構造における便器洗浄水供給装置のフロート部を斜め上方から見た斜視図である。
【図７】本発明の第２実施形態による水洗便器のタンク構造の内部を右斜め上方から見た斜視図である。
【図８】図７のVIII-VIII線に沿って見たタンク構造の断面図である。
【符号の説明】
【００３４】
１  水洗便器
２  便器本体
４  ボウル部
６  排水トラップ管路
８  ジェット吐水口
１０  リム吐水口
１２，６０  タンク構造
１４，６６  ジェットタンク
１６  リムタンク
３０  ジェット排水弁
３６  リム排水弁
４０，６２  便器洗浄水供給装置
４２  ダイアフラム弁
４４  フロート部
４４ａ  フロート本体
４４ｂ  フロートガイド接触部
４８  給水管
５０，６４  フロートガイド
５０ａ  ガイドレール
５２  縦アーム
５４  横アーム
【図１】
2009235804.tif 000003
【図２】
2009235804.tif 000004
【図３】
2009235804.tif 000005
【図４】
2009235804.tif 000006
【図５】
2009235804.tif 000007
【図６】
2009235804.tif 000008
【図７】
2009235804.tif 000009
【図８】
2009235804.tif 000010